(57)【要約】【課題】遊技台に投入された正規メダルをより確実に検出すること。【解決手段】メダル投入口と、前記メダル投入口と通じるメダル通路と、前記メダル通路を通過するメダルと干渉する干渉部を有し、該干渉部に前記メダル通路を通過するメダルの周面が当接して該干渉部が前記メダル通路から退避する方向に押圧されることにより変位する可動部材と、前記干渉部が前記メダル通路に進入する方向に前記可動部材を常時付勢する付勢手段と、前記可動部材が正規メダル通過時の位置に変位したことを検出する検出手段と、を備えたことを特徴とする遊技台を提供する。【選択図】  図６
2011254910.tif 000002
【特許請求の範囲】
【請求項１】
メダル投入口と、
前記メダル投入口と通じるメダル通路と、
前記メダル通路を通過するメダルと干渉する干渉部を有し、該干渉部に前記メダル通路を通過するメダルの周面が当接して該干渉部が前記メダル通路から退避する方向に押圧されることにより変位する可動部材と、
前記干渉部が前記メダル通路に進入する方向に前記可動部材を常時付勢する付勢手段と、
前記可動部材が正規メダル通過時の位置に変位したことを検出する検出手段と、
を備えたことを特徴とする遊技台。
【請求項２】
前記干渉部よりも前記メダル通路の下流側に配置され、前記検出手段の検出結果に応じて、メダルの進行方向を変化させ、正規メダルと非正規メダルとの選別を行う選別手段を備えたことを特徴とする請求項１に記載の遊技台。
【請求項３】
前記干渉部が、メダルの周面が当接する前記メダル通路の通路壁に対向して配置されたことにより、該メダル通路をメダルが通過した時に該メダルの直径に応じた変位量で前記可動部材が変位することを特徴とする請求項１に記載の遊技台。
【請求項４】
第１及び第２の前記可動部材を備え、
前記第１及び第２の可動部材は、各々の前記干渉部が、前記メダル通路の通路方向に直交する方向に離間するように配置されていることを特徴とする請求項１に記載の遊技台。
【請求項５】
前記第１の可動部材の、前記干渉部が前記メダル通路から退避する退避方向の変位量を規制する規制部と、
前記干渉部が前記メダル通路に進入する方向に前記第１の可動部材を常時付勢する第１の前記付勢手段と、
前記干渉部が前記メダル通路に進入する方向に前記第２の可動部材を常時付勢する第２の前記付勢手段と、
を備え、
前記規制部は、前記第１の可動部材が予め定めた位置よりも前記退避方向に変位することを規制し、
前記第２の付勢手段は、前記第１の付勢手段よりも付勢力が強く、
前記検出手段は、前記第１の可動部材が前記予め定めた位置にあり、かつ、前記第２の可動部材が、前記第２の可動部材の前記干渉部が前記予め定めた位置にある前記第１の可動部材の前記干渉部から正規メダルの直径分離間した位置にあることを検出することを特徴とする請求項４に記載の遊技台。
【請求項６】
前記第１及び第２の可動部材は、それらの前記干渉部が正規メダルの直径分離間した位置にある場合に、互いに重なる孔部をそれぞれ有し、
前記検出手段は、前記孔部が重なったことを検出することにより、前記第１及び第２の可動部材が正規メダル通過時の位置に変位したことを検出することを特徴とする請求項５に記載の遊技台。
【請求項７】
前記第１及び第２の可動部材は、それぞれ回動自在に支持されることにより変位し、
前記第１及び第２の可動部材を連結し、それらの回動を同期させるリンク機構を備え、
各々の前記干渉部が、前記第１及び第２の可動部材の回動中心よりも前記メダル通路の下流側に位置し、
前記第１及び第２の可動部材は、各々の回動中心よりも前記メダル通路の上流側にセパレート部をそれぞれ備え、
正規メダルが、前記第１及び第２の可動部材の前記干渉部間を通過した時に、前記第１及び第２の可動部材の前記セパレート部間の離間距離が、正規メダルの直径未満であることを特徴とする請求項４に記載の遊技台。
【請求項８】
前記検出手段は、前記リンク機構を構成するリンク部材の位置を検出することにより、前記第１及び第２の可動部材が正規メダル通過時の位置に変位したことを検出することを特徴とする請求項７に記載の遊技台。
【請求項９】
前記第１及び第２の可動部材の各々の前記干渉部は、それらの間の中心線に対して対称な形状の傾斜面であって、前記メダル通路の下流側に向かって各々の前記干渉部間の離間距離を狭める傾斜面を有することを特徴とする請求項４、７又は８のいずれか１項に記載の遊技台。
【請求項１０】
遊技台のメダル投入口と通じるメダル通路を通過するメダルと干渉する干渉部を有し、該干渉部に前記メダル通路を通過するメダルの周面が当接して該干渉部が前記メダル通路から退避する方向に押圧されることにより変位する可動部材と、
前記干渉部が前記メダル通路に進入する方向に前記可動部材を常時付勢する付勢手段と、
前記可動部材が正規メダル通過時の位置に変位したことを検出する検出手段と、
を備えたことを特徴とする遊技台用正規メダル検出装置。
【発明の詳細な説明】
【技術分野】
【０００１】
本発明は、スロットマシンに代表される遊技台に関し、特に正規メダルの検出に関する。
【背景技術】
【０００２】
スロットマシンに使用される正規メダルは、通常、その直径が２５ｍｍである。一方、ゲームセンター用ゲーム機に使用される正規メダルは、これよりも少し小さいサイズである（直径約２４ｍｍ）。このようなゲーム機用メダルがスロットマシンに使用できないように、スロットマシンには正規メダルよりも小径のメダルを排除するための機構が搭載されている（特許文献１及び２）。小径のメダルの排除原理は、基本的には、メダル通路の転動中に通路からメダルを脱落させるというものである。
【先行技術文献】
【特許文献】
【０００３】
【特許文献１】特開２００５−５２３９７号公報
【特許文献２】特許第４１８１１４０号公報
【発明の概要】
【発明が解決しようとする課題】
【０００４】
しかし、メダル通路の壁部や連続的に投入された他のメダルと衝突しながら移動することでメダルが暴れながらメダル通路を移動する場合があり、その結果、小径メダルが排除されずにメダル通路を通過してしまう場合があった。そこで、小径メダルの投入を正規メダルの投入と誤検知しないように、小径メダルと区別して正規メダルをより確実に検出する仕組みが望まれている。
【０００５】
本発明の目的は、遊技台に投入された正規メダルをより確実に検出することにある。
【課題を解決するための手段】
【０００６】
本発明によれば、メダル投入口と、前記メダル投入口と通じるメダル通路と、前記メダル通路を通過するメダルと干渉する干渉部を有し、該干渉部に前記メダル通路を通過するメダルの周面が当接して該干渉部が前記メダル通路から退避する方向に押圧されることにより変位する可動部材と、前記干渉部が前記メダル通路に進入する方向に前記可動部材を常時付勢する付勢手段と、前記可動部材が正規メダル通過時の位置に変位したことを検出する検出手段と、を備えたことを特徴とする遊技台が提供される。
【０００７】
また、本発明によれば、遊技台のメダル投入口と通じるメダル通路を通過するメダルと干渉する干渉部を有し、該干渉部に前記メダル通路を通過するメダルの周面が当接して該干渉部が前記メダル通路から退避する方向に押圧されることにより変位する可動部材と、前記干渉部が前記メダル通路に進入する方向に前記可動部材を常時付勢する付勢手段と、前記可動部材が正規メダル通過時の位置に変位したことを検出する検出手段と、を備えたことを特徴とする遊技台用正規メダル検出装置が提供される。
【発明の効果】
【０００８】
本発明によれば、遊技台に投入された正規メダルをより確実に検出することができる。
【図面の簡単な説明】
【０００９】
【図１】本発明の一実施形態に係るスロットマシン１００の外観斜視図。
【図２】スロットマシン１００の制御部の回路ブロック図。
【図３】（ａ）は各リール（左リール１１０、中リール１１１、右リール１１２）に施される図柄の配列を平面的に展開して示した図、（ｂ）はスロットマシン１００の入賞役の種類の説明図。
【図４】主制御部メイン処理の流れを示すフローチャート。
【図５】メダルセレクタ３３６の斜視図。
【図６】（ａ）はカバー部材１１、通路部材３０を省略したメダルセレクタ３３６の正面図、（ｂ）はセンサ１８の断面図。
【図７】（ａ）及び（ｂ）は選別ユニット２０の説明図であり、開口部１２ｂ近傍の縦断面図。
【図８】（ａ）は正規メダル通過時のメダルセレクタ３３６の動作説明図、（ｂ）は正規メダル通過時のセンサ１８、１７及び電磁ソレノイド２１の駆動信号のタイミングチャート。
【図９】（ａ）は非正規メダル通過時のメダルセレクタ３３６の動作説明図、（ｂ）は非正規メダル通過時のセンサ１８、１７及び電磁ソレノイド２１の駆動信号のタイミングチャート。
【図１０】メダルセレクタ３３６Ａの説明図。
【図１１】メダルセレクタ３３６Ｂの説明図。
【図１２】検出部２の分解斜視図。
【図１３】（ａ）は検出部２を正面側から見た斜視図、（ｂ）は検出部２を背面側から見た斜視図。
【図１４】（ａ）は可動部材１４Ａ及び１４Ｂ等の斜視図、（ｂ）は干渉部１４Ａａ及び１４Ｂａの各傾斜面ＳＦの説明図。
【図１５】（ａ）及び（ｂ）は検出部２の動作説明図。
【図１６】（ａ）及び（ｂ）は検出部２の動作説明図。
【図１７】（ａ）及び（ｂ）はセンサ１８の他の配置例の説明図。
【図１８】メダルセレクタ３３６Ｃの説明図。
【図１９】検出部２’の分解斜視図。
【図２０】（ａ）は検出部２’を正面側から見た斜視図、（ｂ）は検出部２を背面側から見た斜視図。
【図２１】（ａ）及び（ｂ）は検出部２’の動作説明図。
【図２２】（ａ）乃至（ｄ）は検出部２’の動作説明図。
【図２３】指標部ＳＣを有する検出部２’の説明図。
【図２４】メダル投入口１４１周辺の構成例の説明図。
【発明を実施するための形態】
【００１０】
以下、本発明の実施形態に係る遊技台について説明する。この遊技台は、メダルを投入するためのメダル投入口と、複数種類の図柄が施され、回転駆動される複数のリールと、リールの回転を指示するためのスタートレバーと、各々のリールに対応して設けられ、リールの回転を個別に停止させるための停止ボタンと、複数種類の役の内部当選の当否を抽選により判定する抽選手段と、抽選手段の抽選結果に基づいてリールの回転の停止に関する停止制御を行うリール停止制御手段と、抽選手段の抽選結果に基づいて停止されたリールによって表示される図柄組合せが、内部当選した役に対応して予め定めた図柄組合せであるか否かの判定をする判定手段と、図柄の停止態様が所定の入賞態様である場合、所定の入賞態様に対応するメダルを払出す払出処理を行う払出制御手段と、を備えたスロットマシンである。
【００１１】
なお、本発明の実施形態に係る遊技台は、メダルを投入し、ベットおよびスタート操作に基づいて抽選を実行し、抽選結果を抽選結果表示装置で表示し、当選時には特典メダル数を残クレジット数に加算し、キャッシュアウトが選択された場合には、レシート発行機から残クレジット数に対応するコードが記載されたレシートを発行するカジノマシンとすることもできる。
【００１２】
＜第１実施形態＞
＜全体構成＞
図１に示すスロットマシン１００は、本体１０１と、本体１０１の正面に取付けられ、本体１０１に対して開閉可能な前面扉１０２と、を備える。本体１０１の中央内部には、（図示省略）外周面に複数種類の図柄が配置されたリールが３個（左リール１１０、中リール１１１、右リール１１２）収納され、スロットマシン１００の内部で回転できるように構成されている。これらのリール１１０乃至１１２はステッピングモータ等の駆動装置により回転駆動される。
【００１３】
本実施形態において、各図柄は帯状部材に等間隔で適当数印刷され、この帯状部材が所定の円形筒状の枠材に貼り付けられて各リール１１０乃至１１２が構成されている。リール１１０乃至１１２上の図柄は、遊技者から見ると、図柄表示窓１１３から縦方向に概ね３つ表示され、合計９つの図柄が見えるようになっている。そして、各リール１１０乃至１１２を回転させることにより、遊技者から見える図柄の組み合せが変動することとなる。つまり、各リール１１０乃至１１２は複数種類の図柄の組合せを変動可能に表示する表示装置として機能する。なお、このような表示装置としてはリール以外にも液晶表示装置等の電子画像表示装置も採用できる。また、本実施形態では、３個のリールをスロットマシン１００の中央内部に備えているが、リールの数やリールの設置位置はこれに限定されるものではない。
【００１４】
各々のリール１１０乃至１１２の背面には、図柄表示窓１１３に表示される個々の図柄を照明するためのバックライト（図示省略）が配置されている。バックライトは、各々の図柄ごとに遮蔽されて個々の図柄を均等に照射できるようにすることが望ましい。なお、スロットマシン１００内部において各々のリール１１０乃至１１２の近傍には、投光部と受光部から成る光学式センサ（図示省略）が設けられており、この光学式センサの投光部と受光部の間をリールに設けられた一定の長さの遮光片が通過するように構成されている。このセンサの検出結果に基づいてリール上の図柄の回転方向の位置を判断し、目的とする図柄が入賞ライン上に表示されるようにリール１１０乃至１１２を停止させる。
【００１５】
入賞ライン表示ランプ１２０は、有効となる入賞ライン１１４を示すランプである。有効となる入賞ラインは、遊技媒体としてベットされたメダルの数によって予め定まっている。入賞ライン１１４は５ラインあり、例えば、メダルが１枚ベットされた場合、中段の水平入賞ラインが有効となり、メダルが２枚ベットされた場合、上段水平入賞ラインと下段水平入賞ラインが追加された３本が有効となり、メダルが３枚ベットされた場合、右下り入賞ラインと右上り入賞ラインが追加された５ラインが入賞ラインとして有効になる。なお、入賞ライン１１４の数については５ラインに限定されるものではなく、また、例えば、メダルが１枚ベットされた場合に、中段の水平入賞ライン、上段水平入賞ライン、下段水平入賞ライン、右下り入賞ラインおよび右上り入賞ラインの５ラインを入賞ラインとして有効としてもよい。
【００１６】
告知ランプ１２３は、例えば、後述する内部抽選において特定の入賞役（具体的には、ボーナス）に内部当選していること、または、ボーナス遊技中であることを遊技者に知らせるランプである。遊技メダル投入可能ランプ１２４は、遊技者が遊技メダルを投入可能であることを知らせるためのランプである。再遊技ランプ１２２は、前回の遊技において入賞役の一つである再遊技に入賞した場合に、今回の遊技が再遊技可能であること（メダルの投入が不要であること）を遊技者に知らせるランプである。リールパネルランプ１２８は演出用のランプである。
【００１７】
ベットボタン１３０乃至１３２は、スロットマシン１００に電子的に貯留されているメダル（クレジットという）を所定の枚数分投入するためのボタンである。本実施形態においては、ベットボタン１３０が押下される毎に１枚ずつ最大３枚まで投入され、ベットボタン１３１が押下されると２枚投入され、ベットボタン１３２が押下されると３枚投入されるようになっている。以下、ベットボタン１３２はＭＡＸベットボタンとも言う。なお、遊技メダル投入ランプ１２９は、投入されたメダル数に応じた数のランプを点灯させ、規定枚数のメダルの投入があった場合、遊技の開始操作が可能な状態であることを知らせる遊技開始ランプ１２１が点灯する。
【００１８】
メダル投入口１４１は、遊技を開始するに当たって遊技者がメダルを投入するための投入口である。すなわち、メダルの投入は、ベットボタン１３０乃至１３２により電子的に投入することもできるし、メダル投入口１４１から実際のメダルを投入（投入操作）することもでき、投入とは両者を含む意味である。メダル投入口１４１に投入されたメダルは、スロットマシン１００の内部に設けられた後述するメダルセレクタ３３６を通過し、正規メダルの選別がなされて受け付けられる。
【００１９】
貯留枚数表示器１２５は、スロットマシン１００に電子的に貯留されているメダルの枚数を表示するための表示器である。遊技情報表示器１２６は、各種の内部情報（例えば、ボーナス遊技中のメダル払出枚数）を数値で表示するための表示器である。払出枚数表示器１２７は、何らかの入賞役に入賞した結果、遊技者に払出されるメダルの枚数を表示するための表示器である。貯留枚数表示器１２５、遊技情報表示器１２６、および、払出枚数表示器１２７は、７セグメント（ＳＥＧ）表示器とした。
【００２０】
スタートレバー１３５は、リール１１０乃至１１２の回転を開始させるためのレバー型のスイッチである。即ち、メダル投入口１４１に所望するメダル枚数を投入するか、ベットボタン１３０乃至１３２を操作して、スタートレバー１３５を操作すると、リール１１０乃至１１２が回転を開始することとなる。スタートレバー１３５に対する操作を遊技の開始操作と言う。
【００２１】
ストップボタンユニット１３６には、ストップボタン１３７乃至１３９が設けられている。ストップボタン１３７乃至１３９は、スタートレバー１３５の操作によって回転を開始したリール１１０乃至１１２を個別に停止させるためのボタン型のスイッチであり、各リール１１０乃至１１２に対応づけられている。以下、ストップボタン１３７乃至１３９に対する操作を停止操作と言い、最初の停止操作を第１停止操作、次の停止操作を第２停止操作、最後の停止操作を第３停止操作という。なお、各ストップボタン１３７乃至１３９の内部に発光体を設けてもよく、ストップボタン１３７乃至１３９の操作が可能である場合、該発光体を点灯させて遊技者に知らせることもできる。
【００２２】
メダル返却ボタン１３３は、投入されたメダルが詰まった場合に押下してメダルを取り除くためのボタンである。精算ボタン１３４は、スロットマシン１００に電子的に貯留されたメダル、ベットされたメダルを精算し、メダル払出口１５５から排出するためのボタンである。ドアキー孔１４０は、スロットマシン１００の前面扉１０２のロックを解除するためのキーを挿入する孔である。
【００２３】
ストップボタンユニット１３６の下部には、機種名の表示と各種証紙の貼付とを行うタイトルパネル１６２が設けられている。タイトルパネル１６２の下部には、メダル払出口１５５、メダルの受け皿１６１が設けられている。
【００２４】
音孔１８０はスロットマシン１００内部に設けられているスピーカの音を外部に出力するための孔である。前面扉１０２の左右各部に設けられたサイドランプ１４４は遊技を盛り上げるための装飾用のランプである。前面扉１０２の上部には演出装置１６０が配設されており、演出装置１６０の上部には音孔１４３が設けられている。この演出装置１６０は、水平方向に開閉自在な２枚の右シャッタ１６３ａ、左シャッタ１６３ｂからなるシャッタ（遮蔽装置）１６３と、このシャッタ１６３の奥側に配設された液晶表示装置１５７（図示省略、演出画像表示装置）を備えており、右シャッタ１６３ａ、左シャッタ１６３ｂが液晶表示装置１５７の手前で水平方向外側に開くと液晶表示装置１５７（図示省略）の表示画面がスロットマシン１００正面（遊技者側）に出現する構造となっている。
【００２５】
なお、液晶表示装置でなくとも、種々の演出画像や種々の遊技情報を表示可能に構成されていればよく、例えば、複数セグメントディスプレイ（７セグディスプレイ）、ドットマトリクスディスプレイ、有機ＥＬディスプレイ、プラズマディスプレイ、リール（ドラム）、或いは、プロジェクタとスクリーンとからなる表示装置等でもよい。また、表示画面は、方形をなし、その全体を遊技者が視認可能に構成している。本実施形態の場合、表示画面は長方形であるが、正方形でもよい。また、表示画面の周縁に不図示の装飾物を設けて、表示画面の周縁の一部が該装飾物に隠れる結果、表示画面が異形に見えるようにすることもできる。表示画面は本実施形態の場合、平坦面であるが、曲面をなしていてもよい。
【００２６】
＜制御部＞
図２は、スロットマシン１００の制御部の制御部の回路構成について詳細に説明する。なお、同図は制御部の回路ブロック図を示したものである。スロットマシン１００の制御部は、大別すると、遊技の進行を制御する主制御部３００と、主制御部３００が送信するコマンド信号（以下、単に「コマンド」と呼ぶ）に応じて、主な演出の制御を行う第１副制御部４００と、第１副制御部４００より送信されたコマンドに基づいて各種機器を制御する第２副制御部５００と、によって構成されている。
【００２７】
＜主制御部＞
まず、スロットマシン１００の主制御部３００について説明する。主制御部３００は、主制御部３００の全体を制御する基本回路３０２を備えており、この基本回路３０２には、ＣＰＵ３０４と、制御プログラムデータ、入賞役の内部抽選時に用いる抽選データ、リールの停止位置等を記憶するためのＲＯＭ３０６と、一時的にデータを記憶するためのＲＡＭ３０８と、各種デバイスの入出力を制御するためのＩ／Ｏ３１０と、時間や回数等を計測するためのカウンタタイマ３１２を搭載している。なお、ＲＯＭ３０６やＲＡＭ３０８については他の記憶装置を用いてもよく、この点は後述する第１副制御部４００についても同様である。
【００２８】
この基本回路３０２のＣＰＵ３０４は、水晶発振器３１４が出力する所定周期のクロック信号をシステムクロックとして入力して動作する。さらには、ＣＰＵ３０４は、電源が投入されるとＲＯＭ３０６の所定エリアに格納された分周用のデータをカウンタタイマ３１２に送信し、カウンタタイマ３１２は受信した分周用のデータを基に割り込み時間を決定し、この割り込み時間ごとに割り込み要求をＣＰＵ３０４に送信する。ＣＰＵ３０４は、この割込み要求を契機に各センサ等の監視や駆動パルスの送信を実行する。例えば、水晶発振器３１４が出力するクロック信号を８ＭＨｚ、カウンタタイマ３１２の分周値を１／２５６、ＲＯＭ３０６の分周用のデータを４７に設定した場合、割り込みの基準時間は、２５６×４７÷８ＭＨｚ＝１．５０４ｍｓとなる。ＷＤＴ３１３はウォッチドッグタイマである。
【００２９】
基本回路３０２は、０〜６５５３５の範囲で数値を変動させるハードウェア乱数カウンタとして使用している乱数発生回路３１６と、電源が投入されると起動信号（リセット信号）を出力する起動信号出力回路３３８を設けており、ＣＰＵ３０４は、この起動信号出力回路３３８から起動信号を入力した場合に、遊技制御を開始する（後述する主制御部メイン処理を開始する）。
【００３０】
また、基本回路３０２には、センサ回路３２０を設けており、ＣＰＵ３０４は、割り込み時間ごとに各種センサ３１８（ベットボタン１３０センサ、ベットボタン１３１センサ、ベットボタン１３２センサ、後述するメダルセレクタ３３６の各センサ、ストップボタン１３７センサ、ストップボタン１３８センサ、ストップボタン１３９センサ、精算ボタン１３４センサ、メダル払出装置１８０から払い出されるメダルのメダル払出センサ、リール１１０のインデックスセンサ、リール１１１のインデックスセンサ、リール１１２のインデックスセンサ、等）の状態を監視している。なお、センサ回路３２０がスタートレバーセンサのＨレベルを検出した場合には、この検出を示す信号を乱数発生回路３１６に出力する。この信号を受信した乱数発生回路３１６は、そのタイミングにおける値をラッチし、抽選に使用する乱数値を格納するレジスタに記憶する。
【００３１】
スタートレバー１３５センサは、スタートレバー１３５内部に２個設置されており、遊技者によるスタート操作を検出する。ストップボタン１３７センサ、ストップボタン１３８センサ、および、ストップボタン１３９は、各々のストップボタン１３７乃至１３９に設置されており、遊技者によるストップボタンの操作を検出する。
【００３２】
ベットボタン１３０センサ、ベットボタン１３１センサ、および、ベットボタン１３２センサは、メダル投入ボタン１３０乃至１３２のそれぞれに設置されており、ＲＡＭ３０８に電子的に貯留されているメダルを遊技への投入メダルとして投入する場合の投入操作を検出する。精算ボタン１３４センサは、精算ボタン１３４に設けられている。精算ボタン１３４が一回押されると、電子的に貯留されているメダルを精算する。メダル払出センサは、メダル払出装置１８０が払い出すメダルを検出するためのセンサである。なお、以上の各センサは、非接触式のセンサであっても接点式のセンサであってもよい。
【００３３】
リール１１０のインデックスセンサ、リール１１１のインデックスセンサ、および、リール１１２のインデックスセンサは、各リール１１０乃至１１２の取付台の所定位置に設置されており、リールフレームに設けた遮光片が通過するたびにＬレベルになる。ＣＰＵ３０４は、この信号を検出すると、リールが１回転したものと判断し、リールの回転位置情報をゼロにリセットする。
【００３４】
主制御部３００は、リール装置１１０乃至１１２に設けたステッピングモータを駆動する駆動回路３２２を設けており、投入されたメダルを選別するメダルセレクタ３３６に設けたソレノイドを駆動する駆動回路３２４を設けており、メダル払出装置１８０に設けたモータを駆動する駆動回路３２６を設けており、各種ランプ３３８（入賞ライン表示ランプ１２０、告知ランプ１２３、遊技メダル投入可能ランプ１２４、再遊技ランプ１２２、遊技メダル投入ランプ１２９は、遊技開始ランプ１２１、貯留枚数表示器１２５、遊技情報表示器１２６、払出枚数表示器１２７）を駆動する駆動回路３２８を設けている。
【００３５】
また、基本回路３０２には、情報出力回路３３４（外部集中端子板２４８）を接続しており、主制御部３００は、この情報出力回路３３４を介して、外部のホールコンピュータ（図示省略）等が備える情報入力回路６５２にスロットマシン１００の遊技情報（例えば、遊技状態）を出力する。
【００３６】
また、主制御部３００は、第１副制御部４００にコマンドを送信するための出力インタフェースを備えており、第１副制御部４００との通信を可能としている。なお、主制御部３００と第１副制御部４００との情報通信は一方向の通信であり、主制御部３００は第１副制御部４００にコマンド等の信号を送信できるように構成しているが、第１副制御部４００からは主制御部３００にコマンド等の信号を送信できないように構成している。
【００３７】
＜副制御部＞
次に、スロットマシン１００の第１副制御部４００について説明する。第１副制御部４００は、主制御部３００が送信した制御コマンドを入力インタフェースを介して受信し、この制御コマンドに基づいて第１副制御部４００の全体を制御する基本回路４０２を備えており、この基本回路４０２は、ＣＰＵ４０４と、一時的にデータを記憶するためのＲＡＭ４０８と、各種デバイスの入出力を制御するためのＩ／Ｏ４１０と、時間や回数等を計測するためのカウンタタイマ４１２を搭載している。基本回路４０２のＣＰＵ４０４は、水晶発振器４１４が出力する所定周期のクロック信号をシステムクロックとして入力して動作し、第１副制御部４００の全体を制御するための制御プログラム及びデータ、バックライトの点灯パターンや各種表示器を制御するためのデータ等が記憶されたＲＯＭ４０６が設けている。
【００３８】
ＣＰＵ４０４は、所定のタイミングでデータバスを介してＲＯＭ４０６の所定エリアに格納された分周用のデータをカウンタタイマ４１２に送信する。カウンタタイマ４１２は、受信した分周用のデータを基に割り込み時間を決定し、この割り込み時間ごとに割り込み要求をＣＰＵ４０４に送信する。ＣＰＵ４０４は、この割込み要求のタイミングをもとに、各ＩＣや各回路を制御する。
【００３９】
また、第１副制御部４００には、音源ＩＣ４１８を設けており、音源ＩＣ４１８に出力インタフェースを介してスピーカ２７２、２７７を設けている。音源ＩＣ４１８は、ＣＰＵ４０４からの命令に応じてアンプおよびスピーカ２７２、２７７から出力する音声の制御を行う。音源ＩＣ４１８には音声データが記憶されたＳ−ＲＯＭ（サウンドＲＯＭ）が接続されており、このＲＯＭから取得した音声データをアンプで増幅させてスピーカ２７２、２７７から出力する。
【００４０】
また、第１副制御部４００には、駆動回路４２２が設けられ、駆動回路４２２に入出力インタフェースを介して各種ランプ４２０（上部ランプ、下部ランプ、サイドランプ１４４、タイトルパネル１６２ランプ、等）を設けている。
【００４１】
また、ＣＰＵ４０４は、出力インタフェースを介して第２副制御部５００へ信号の送受信を行う。スロットマシン１００の第２副制御部５００では、液晶表示装置１５７やシャッタ１６３の制御を行う。こうして遊技の進行に合わせて演出が実行される。
【００４２】
＜図柄配列＞
図３（ａ）を用いて、上述の各リール１１０乃至１１２に施される図柄配列について説明する。なお、同図は、各リール（左リール１１０、中リール１１１、右リール１１２）に施される図柄の配列を平面的に展開して示した図である。
【００４３】
各リール１１０乃至１１２には、同図の右側に示す複数種類（本実施形態では８種類）の図柄が所定コマ数（本実施形態では、番号０〜２０の２１コマ）だけ配置されている。また、同図の左端に示した番号０〜２０は、各リール１１０乃至１１２上の図柄の配置位置を示す番号である。例えば、本実施形態では、左リール１１０の番号１のコマには「リプレイ」の図柄、中リール１１１の番号０のコマには「ベル」の図柄、右リール１１２の番号２のコマには「スイカ」の図柄、がそれぞれ配置されている。
【００４４】
＜入賞役の種類＞
次に、図３（ｂ）を用いて、スロットマシン１００の入賞役の種類について説明する。なお、同図は入賞役（作動役を含む）の種類、各入賞役に対応する図柄組合せ、各入賞役の作動または払出を示している。
【００４５】
本実施形態における入賞役のうち、ビッグボーナス（ＢＢ１、ＢＢ２）および、レギュラーボーナス（ＲＢ）はボーナス遊技に移行する役として、また、再遊技（リプレイ）は新たにメダルを投入することなく再遊技が可能となる役として、それぞれ入賞役とは区別され「作動役」と呼ばれる場合があるが、本実施形態における「入賞役」には、作動役である、ビッグボーナス、レギュラーボーナス、再遊技が含まれる。また、本実施形態における「入賞」には、メダルの配当を伴わない（メダルの払い出しを伴わない）作動役の図柄組合せが有効ライン上に表示される場合も含まれ、例えば、ビッグボーナス、レギュラーボーナス、再遊技への入賞が含まれる。
【００４６】
スロットマシン１００の入賞役には、ビッグボーナス（ＢＢ１、ＢＢ２）と、レギュラーボーナス（ＲＢ）と、小役（チェリー、スイカ、ベル）と、再遊技（リプレイ）がある。なお、入賞役の種類は、これに限定されるものではなく、任意に採用できることは言うまでもない。
【００４７】
「ビッグボーナス（ＢＢ１、ＢＢ２）」（以下、単に、「ＢＢ」と称する場合がある）は、入賞により特別遊技であるビッグボーナス遊技（ＢＢ遊技）が開始される特別役（作動役）である。対応する図柄組合せは、ＢＢ１が「白７−白７−白７」、ＢＢ２が「青７−青７−青７」である。また、ＢＢ１、ＢＢ２についてはフラグ持越しを行う。すなわち、ＢＢ１、ＢＢ２に内部当選すると、これを示すフラグが立つ（主制御部３００のＲＡＭ３０８の所定のエリア内に記憶される）が、その遊技においてＢＢ１、ＢＢ２に入賞しなかったとしても、入賞するまで内部当選を示すフラグが立った状態が維持され、次遊技以降でもＢＢ１、ＢＢ２に内部当選中となり、ＢＢ１に対応する図柄組み合わせ「白７−白７−白７」、ＢＢ２に対応する図柄組み合わせ「青７−青７−青７」が、揃って入賞する状態にある。
【００４８】
「レギュラーボーナス（ＲＢ）」は、入賞によりレギュラーボーナス遊技（ＲＢ遊技）が開始される特殊役（作動役）である。対応する図柄組合せは、「ボーナス−ボーナス−ボーナス」である。なお、ＲＢについても上述のＢＢと同様にフラグ持越しを行う。但し、（詳細は後述するが）ビッグボーナス遊技（ＢＢ遊技）においては、レギュラーボーナス遊技（ＲＢ遊技）が内部当選することや、図柄組み合わせが入賞ライン上に表示されること、を開始条件とせずに、ビッグボーナス遊技の開始後からレギュラーボーナス遊技を開始し、１回のレギュラーボーナス遊技を終了した場合には次のレギュラーボーナス遊技をすぐに開始するような自動的にレギュラーボーナス遊技を開始させる設定としてもよい。
【００４９】
「小役（チェリー、スイカ、ベル）」（以下、単に、「チェリー」、「スイカ」、「ベル」と称する場合がある）は、入賞により所定数のメダルが払い出される入賞役で、対応する図柄組合せは、チェリーが「チェリー−ＡＮＹ−ＡＮＹ」、スイカが「スイカ−スイカ−スイカ」、ベルが「ベル−ベル−ベル」である。また、対応する払出枚数は同図に示す通りである。なお、「チェリー−ＡＮＹ−ＡＮＹ」の場合、左リール１１０の図柄が「チェリー」であればよく、中リール１１１と右リール１１２の図柄はどの図柄でもよい。
【００５０】
「再遊技（リプレイ）」は、入賞により次回の遊技でメダル（遊技媒体）の投入を行うことなく遊技を行うことができる入賞役（作動役）であり、メダルの払出は行われない。なお、対応する図柄組合せは、再遊技は「リプレイ−リプレイ−リプレイ」である。
【００５１】
＜遊技状態の種類＞
次に、スロットマシン１００の遊技状態の種類について説明する。本実施例では、スロットマシン１００の遊技状態は、通常遊技と、ＢＢ遊技と、ＲＢ遊技と、ビッグボーナス（ＢＢ）およびレギュラーボーナス（ＲＢ）の内部当選遊技と、に大別した。但し、通常遊技と、ＢＢ遊技と、ＲＢ遊技と、に大別するような区分けであってもよい。
【００５２】
＜通常遊技＞
通常遊技に内部当選する入賞役には、ビッグボーナス（ＢＢ）と、レギュラーボーナス（ＲＢ）と、再遊技（リプレイ）と、小役（チェリー、スイカ、ベル）がある。「ビッグボーナス（ＢＢ）」は、入賞により特別遊技であるビッグボーナス遊技（ＢＢ遊技）が開始される特別役（作動役）である。レギュラーボーナス（ＲＢ）」は、入賞によりレギュラーボーナス遊技（ＲＢ遊技）を開始する特殊役（作動役）である。「再遊技（リプレイ）」は、入賞により次回の遊技でメダルの投入を行うことなく遊技を行うことができる入賞役（作動役）であり、メダルの払出も行われない。「小役」は、入賞により所定数のメダルが払い出される入賞役である。
【００５３】
なお、各々の役の内部当選確率は、通常遊技に用意された抽選データから、各々の役に対応付けされた抽選データの範囲に該当する数値データを、内部抽選時に取得される乱数値の範囲の数値データ（例えば６５５３５）で除した値で求められる。通常遊技に用意された抽選データは、予めいくつかの数値範囲に分割され、各数値範囲に各々の役やハズレを対応付けしている。内部抽選を実行した結果得られた乱数値が、何れの役に対応する抽選データに対応する値であったかを判定し、内部抽選役を決定する。この抽選データは少なくとも１つの役の当選確率を異ならせた設定１〜設定６が用意され、遊技店の係員等はいずれかの設定値を任意に選択し、設定することができる。
【００５４】
通常遊技は、内部抽選の結果が概ねハズレ（ビッグボーナス（ＢＢ）、レギュラーボーナス（ＲＢ）、再遊技（リプレイ）および小役に当選していない）となる設定がされており、獲得するメダルの総数が、投入したメダルの総数に満たない遊技状態になっている。よって、遊技者にとっては不利益となる遊技状態である。但し、予め定めた条件を満たした場合（例えば、特定の図柄組み合わせが表示された場合）には、再遊技の内部当選の確率を上昇させる変動をさせてもよい遊技状態であり、この場合、小役の入賞によって所定数のメダルが払い出されることにより、獲得するメダルの総数が、投入したメダルの総数を超える遊技状態になり、遊技者にとっては利益となる遊技状態になる場合がある。
【００５５】
＜ＢＢ遊技＞
ＢＢ遊技は、遊技者にとっては利益となる遊技状態になるように設定されている。つまり、ＢＢ遊技は、獲得するメダルの総数が、投入したメダルの総数を超える遊技状態となる。ＢＢ遊技は、本実施例では、ビッグボーナス（ＢＢ）の入賞により開始され、ＲＢ遊技（後述する）を連続して繰り返し実行可能になっており、遊技中に予め定められた一の数（例えば、４６５枚）を超えるメダルが獲得された場合に終了する。但し、ＢＢ遊技はＲＢ遊技を連続して繰り返し実行可能とすることなく、ＲＢ遊技を開始する役（図柄組み合わせは例えば、リプレイ−リプレイ−リプレイ）を設定し、この役が内部当選した場合、または、入賞した場合に、ＲＢ遊技を開始するように設定してもよい。さらには、ＢＢ遊技は、ＢＢ遊技中のＲＢ遊技を除くＢＢ一般遊技を予め定めた回数（例えば、３０回）実行した場合、または、ＢＢ遊技中に実行したＲＢ遊技の回数が予め定めた回数に達した場合（例えば、３回）に終了するようにしてもよい。
【００５６】
＜ＲＢ遊技＞
ＲＢ遊技は、遊技者にとっては利益となる遊技状態になるように設定されている。つまり、ＲＢ遊技は、獲得するメダルの総数が、投入したメダルの総数を超える遊技状態となる。ＲＢ遊技は、本実施例では、レギュラーボーナス（ＲＢ）の入賞により開始され、予め定めた一の役が内部当選の確率を上昇させる変動（例えば、「設定１」「通常遊技」に設定された「小役１」の内部当選確率１／１５を、予め定めた一の値である内部当選確率１／１．２に上昇させる）をし、予め定めた一の数（例えば８回）の入賞があった場合に終了する。ＢＢ遊技は、予め定めた回数の入賞があった場合（例えば、８回）、または、ＲＢ遊技中に実行したＲＢ遊技の回数が予め定めた回数に達した場合（例えば、８回）に終了するようにしてもよい。
【００５７】
＜ビッグボーナス（ＢＢ）およびレギュラーボーナス（ＲＢ）の内部当選遊技＞
ビッグボーナス（ＢＢ）およびレギュラーボーナス（ＲＢ）の内部当選遊技に内部当選する入賞役には、再遊技（リプレイ）と、小役がある。ビッグボーナス（ＢＢ）およびレギュラーボーナス（ＲＢ）は内部当選することはなく、ビッグボーナス（ＢＢ）かレギュラーボーナス（ＲＢ）に対応する図柄組み合わせを入賞させることが可能となっている遊技状態である。
【００５８】
但し、ビッグボーナス（ＢＢ）およびレギュラーボーナス（ＲＢ）に内部当選した次遊技から、再遊技の内部当選の確率を変動させてもよく、例えば、再遊技の内部当選の確率を上昇させる変動をさせて、ビッグボーナス（ＢＢ）およびレギュラーボーナス（ＲＢ）対応する図柄組み合わせが入賞するまでの間は、獲得するメダルの総数が、投入したメダルの総数とほぼ同じとなる遊技状態とし、通常遊技と比べると遊技者にとっては利益となる遊技状態としてもよい。
【００５９】
＜主制御部メイン処理＞
図４を用いて、主制御部３００のＣＰＵ３０４が実行する主制御部メイン処理について説明する。なお、同図は主制御部メイン処理の流れを示すフローチャートである。上述したように、主制御部３００には、電源が投入されると起動信号（リセット信号）を出力する起動信号出力回路（リセット信号出力回路）３３８を設けている。この起動信号を入力した基本回路３０２のＣＰＵ３０４は、リセット割込によりリセットスタートしてＲＯＭ３０６に予め記憶している制御プログラムに従って図４に示す主制御部メイン処理を実行する。
【００６０】
電源投入が行われると、まず、Ｓ１で各種の初期設定を行う。この初期設定では、ＣＰＵ３０４のスタックポインタ（ＳＰ）へのスタック初期値の設定、割込禁止の設定、Ｉ／Ｏ３１０の初期設定、ＲＡＭ３０８に記憶する各種変数の初期設定、ＷＤＴ３１３への動作許可及び初期値の設定等を行う。
【００６１】
Ｓ２ではメダル投入・スタート操作受付処理を実行する。ここではメダルの投入の有無をチェックし、メダルの投入に応じて入賞ライン表示ランプ１２０を点灯させる。なお、前回の遊技で再遊技に入賞した場合は、前回の遊技で投入されたメダル枚数と同じ数のメダルを投入する処理を行うので、遊技者によるメダルの投入が不要となる。また、スタートレバー１３５が操作されたか否かのチェックを行い、スタートレバー１３５の操作があればＳ３へ進む。
【００６２】
Ｓ３では投入されたメダル枚数を確定し、有効な入賞ラインを確定する。Ｓ４では乱数発生回路３１６で発生させた乱数を取得する。Ｓ５では、現在の遊技状態に応じてＲＯＭ３０６に格納されている入賞役抽選テーブルを読み出し、これとＳ４で取得した乱数値とを用いて内部抽選を行う。内部抽選の結果、いずれかの入賞役に内部当選した場合、その入賞役の内部当選フラグをＯＮにする。Ｓ６では内部抽選結果に基づき、リール停止データを選択する。
【００６３】
Ｓ７では全リール１１０乃至１１２の回転を開始させる。Ｓ８では、ストップボタン１３７乃至１３９の受け付けが可能になり、いずれかのストップボタンが押されると、押されたストップボタンに対応するリール１１０乃至１１２の何れかをＳ６で選択したリール停止制御データに基づいて停止させる。リールの停止制御は、基本的には、内部当選した入賞役がある場合は、その入賞役に対応する図柄組み合わせが表示されることは許容し、ハズレ等の場合はいずれの役に対応する図柄組み合わせも表示されないように、いわゆる引き込み・蹴飛ばしといったリールの停止制御を行う。
【００６４】
全リール１１０乃至１１２が停止するとＳ９へ進む。Ｓ９では、入賞判定を行う。ここでは、有効化された入賞ライン１１４上に、何らかの入賞役に対応する絵柄組合せが表示された場合にその入賞役に入賞したと判定する。例えば、有効化された入賞ライン上に「ベル−ベル−ベル」が揃っていたならばベル入賞と判定する。また、フラグ持ち越しの場合を除き、内部当選フラグをリセットする。
【００６５】
Ｓ１０では払い出しのある何らかの入賞役に入賞していれば、その入賞役に対応する枚数のメダルを入賞ライン数に応じて払い出す。Ｓ１１では遊技状態制御処理を行う。遊技状態制御処理では、通常遊技、ＢＢ遊技、ＲＢ遊技、内部当選遊技、の各遊技状態の移行に関する処理を行い、それらの開始条件、終了条件の成立により、遊技状態を移行する。こうして本実施形態では、停止表示された図柄の組み合わせに基づいて遊技者に特典を付与している。以上により１ゲームが終了する。以降Ｓ２へ戻って上述した処理を繰り返すことにより遊技が進行することになる。
【００６６】
＜メダルセレクタ＞
次に、前面扉１０２の背面に取り付けられるメダルセレクタ３３６について説明する。メダルセレクタ３３６は、正規メダルを検出する機能を有し、メダル投入口１４１と通じてメダル投入口１４１から投入されたメダルが通過するメダル通路を形成すると共に、正規のメダルと正規のメダルよりも小径の非正規メダルとを選別する。なお、上流側、下流側とはメダルが流れる方向を基準とし、メダル投入口１４１側が上流側である。
【００６７】
図５はメダルセレクタ３３６の斜視図である。メダルセレクタ３３６は、ベース部材１２と、ベース部材１２の正面に着脱自在に装着され、ベース部材１２の正面を覆うカバー部材１１と、ベース部材１２の下端部に連結された通路部材３０と、ベース部材１２の背面側に支持された選別ユニット２０と、を備える。
【００６８】
メダルセレクタ３３６の上端部には、カバー部材１１とベース部材１２とによりメダルの導入口１０が形成されており、メダル投入口１４１に投入されたメダルは導入口１０からメダルセレクタ３３６内へ導入される。通路部材３０は、正規メダルを不図示のメダル払出装置に案内する通路部３１と、非正規メダルをメダル払出口１５５に案内する通路部３２と、を備える。導入口１０からメダルセレクタ３３６内へ導入されたメダルは、選別されて通路部３１又は通路部３２のいずれかに導かれてメダル払出装置（投入メダルを貯留するホッパ部）かメダル払出口１５５へ導かれる。
【００６９】
図６はカバー部材１１、通路部材３０を省略したメダルセレクタ３３６の正面図である。ベース部材１２は、その表側に、メダル通路を形成する上下方向に延びた凹部１２ａを有する。この凹部１２ａの底面とカバー部材１１の背面とにより、メダル通路の奥行き方向（メダルの厚み方向）の壁が形成され、上下方向のメダル通路が形成される。
【００７０】
ベース部材１２には、通路壁形成部材１３が固定されている。通路壁形成部材１３は板状をなし、その側面は、メダルセレクタ３３６を通過するメダルの周面が当接する、メダル通路の通路壁としての側壁１３ｃを形成する。通路壁形成部材１３には、取付孔１３ａ、１３ｂが形成されており、ベース部材１２から突起した軸部材を取付孔１３ａ、１３ｂに挿入してかしめることで、通路壁形成部材１３をベース部材１２に固定する。
【００７１】
取付孔１３ｂは左右に延びる長孔で、側壁１３ｃの向きないし位置を調整可能になっており、センサ１８との距離を微調整可能になっている。なお、本実施形態では通路壁形成部材１３とベース部材１２とを別部材として両者を固定する構成としたが、これらを一体成形してもよい。
【００７２】
メダルセレクタ３３６は、軸部材１５に回動自在に支持された可動部材１４を備える。軸部材１５はベース部材１２又はカバー部材１１のいずれかに支持される。軸部材１５の中心軸線は、メダル通路の奥行き方向（メダルの厚み方向）と平行な方向であり、可動部材１４は、メダル通路の奥行き方向と平行な軸線回りに回動する。
【００７３】
可動部材１４は、干渉部１４ａと、軸部材１５が挿通する孔と、被検出部１４ｂと、を備えた板状の部材である。干渉部１４ａは側壁１３ｃに対向して配置されてメダル通路内に進入しており、メダル通路を通過するメダルと干渉する。そして、メダル通路を通過するメダルの周面が干渉部１４ａに当接して干渉部１４ａがメダル通路から退避する方向に押圧されることにより可動部材１４が変位する。本実施形態の場合、変位の態様は軸部材１５を回動中心とした回動（同図で時計周り）であるが、平行移動であってもよい。
【００７４】
メダルの厚みが１．６ｍｍ〜２ｍｍ程度とすると、凹部１２ａの底面とカバー部材１１の背面とにより形成されるメダル通路の奥行き方向（メダルの厚み方向）の深さは２．２ｍｍ程度とし、可動部材１４の厚みは１．６ｍｍ程度とすれば、可動部材１４とベース部材１２との間の奥行き方向の隙間、あるいは、可動部材１４とカバー部材１１との間の奥行き方向の隙間からメダルが脱落してしまうことを防止できる。
【００７５】
メダルセレクタ３３６は、ベース部材１２に設けた取付部１６ａに支持された付勢部材１６を備える。付勢部材１６は干渉部１４ａがメダル通路に進入する方向（同図の反時計周り）に可動部材１４を常時付勢する。付勢部材１６は本実施形態の場合、コイルスプリングである。付勢部材１６は、可動部材１４を常時付勢できるものであればよく、コイルスプリングの他、ゴム等の各種の弾性部材を用いることができる。
【００７６】
ベース部材１２上には、可動部材１４の回動範囲を規制する規制部１２ｃが設けられている。規制部１２ｃは突起であり、可動部材１４の側面に当接して可動部材１４の反時計回りの回動範囲を規制している。図６の状態では、付勢部材１６の付勢による可動部材１４の回動を規制部１２ｃが規制した状態にある。この状態の可動部材１４の位置を初期位置という。初期位置において、干渉部１４ａと側壁１３ｃとは正規メダルの直径よりも狭い。
【００７７】
メダルセレクタ３３６は、ベース部材１２に設けたセンサ１８を備える。センサ１８は、可動部材１４が正規メダル通過時の位置に変位したことを検出する。センサ１８は可動部材１４の位置を検出可能なセンサであれば何でもよいが、本実施形態の場合、光学式のセンサであり、図６（ｂ）に示すように、スリット１８ａを有し、スリット１８ａの一方側に発光素子１８ｂが、他方側に受光素子１８ｃが、それぞれ設けられている。センサ１８は、スリット１８ａを物体が通過し、発光素子１８ｂからの光が遮断されることでその通過を検出する。
【００７８】
本実施形態の場合、可動部材１４の被検出部１４ｂが、可動部材１４の回動によってスリット１８ａに進入するようにセンサ１８が配置されている。干渉部１４ａが側壁１３ｃに対向して配置されているため、メダル通過時の可動部材１４の変位量（回動量）は、通過するメダルの直径に応じたものとなる。
【００７９】
そこで、正規メダルが通過した時に、回動してきた可動部材１４の被検出部１４ｂをセンサ１８が検出する一方、非正規メダルが通過した時には回動してきた可動部材１４の被検出部１４ｂがセンサ１８で検出されない（センサ１８の発光素子１８ｂと受光素子１８ｃとの間に到達しない）ようにすることで、非正規メダルは検出せずに正規メダルを検出することができる。このような検出は、センサ１８の配置、可動部材１４の形状を基本とし、通路壁形成部材１３の位置の微調整で実現できる。
【００８０】
可動部材１４は、付勢部材１６の付勢により、メダル通路を通過してくるメダルを通路壁形成部材１３へ押し付ける作用があるため、メダルが暴れながらメダル通路を移動してきたとしても、暴れを抑えることができる。この結果、非正規メダルと区別してスロットマシン１００に投入された正規メダルをより確実に検出することができる。
【００８１】
正規メダルの検出結果は、投入メダルの受付け（ベット数又はクレジット数の加算）又は、非正規メダルの排除の少なくともいずれかに利用できるが、本実施形態では双方に利用する場合を想定する。
【００８２】
可動部材１４よりも下流側において、凹部１２ａには開口部１２ｂが形成されており、ここには選別ユニット２０を構成するフラップ２２の下端部が進退自在になっている。図７（ａ）及び（ｂ）は選別ユニット２０の説明図であり、開口部１２ｂ近傍の縦断面図である。
【００８３】
選別ユニット２０は、本実施形態の場合、電磁ソレノイド２１と、フラップ２２と、電磁ソレノイド２１及びフラップ２２を支持するフレーム２３と、フラップ２２とフレーム２３とに接続されたコイルスプリング２４と、を備える。
【００８４】
フレーム２３は、開口部２３ａを有し、ここにフラップ２２の上部が挿入されて、回動自在に支持されている。コイルスプリング２４は、フラップ２２の上端部に接続され、図７（ａ）に示すようにフラップ２２の下端部が開口部１２ｂを通って凹部１２ａの表側に突出するようにフラップ２２を常時付勢する。このときのフラップ２２の位置を排除位置ともいう。電磁ソレノイド２１をＯＮにすると、磁力によりフラップ２２が電磁ソレノイド２１に吸着されてフラップの下端部が開口部１２ｂから後退する。このときのフラップ２２の位置を通路開放位置ともいう。開口部１２ｂが選別位置となっている。
【００８５】
カバー部材１１には、フラップ２２の下端部近傍に開口部１１ａが形成されている。このため、フラップ２２が図７（ａ）に示すように開口部１２ｂから突出した排除位置にある状態においては、メダル通路を通過中のメダルＭは、開口部１１ａからメダル通路外へ排出され、通路部３２に案内されてメダル払出口１５５に導かれる。一方、フラップ２２が図７（ｂ）に示すように開口部１２ｂから後退した通路開放位置にある状態においては、メダル通路を通過中のメダルＭは、そのままメダル通路を進行し、通路部３１に案内されてメダル払出装置に導かれる。こうして選別ユニット２０は、通過するメダルの進行方向を変化させ、メダルを選別する。なお、本実施形態では、メダルの進行方向を奥行き方向に変化させたが、左右方向としてもよく、これはメダル通路や通路部材３０の構成により適宜設計できる。
【００８６】
ＣＰＵ３０４は通常は電磁ソレノイド２１をＯＦＦとして、選別ユニット２０を図７（ａ）の状態としておく。そして、センサ１８が可動部材１４が正規メダル通過時の位置に変位したことを検出した場合には、電磁ソレノイド２１をＯＮとして、選別ユニット２０を図７（ｂ）の状態とする。電磁ソレノイド２１をＯＮとする期間は、センサ１８と開口部１２ｂとの間の距離及びメダルの平均的な落下速度に応じて設定した時間を基準としてもよいが、本実施形態ではメダル検出センサ１７の検出結果を利用する。
【００８７】
メダル検出センサ１７は、干渉部１４ａよりも下流側で開口部１２ｂよりも上流側に配置されている。メダル検出センサ１７は、凹部１２ａに設けた開口部１２ｄに埋め込まれており、発光部と受光部とを備えた反射型の光センサである。そして、ＣＰＵ３０４は、センサ１８が可動部材１４が正規メダル通過時の位置に変位したことを検出した場合には電磁ソレノイド２１をＯＮとし、メダル検出センサ１７がメダルを検出した場合（メダルの通過完了を検出した場合）に電磁ソレノイド２１をＯＦＦとする。
【００８８】
図８（ａ）は正規メダル通過時のメダルセレクタ３３６の動作説明図、（ｂ）は正規メダル通過時のセンサ１８、１７及び電磁ソレノイド２１の駆動信号のタイミングチャートである。導入口１０からメダルセレクタ３３６へ導入されたメダルは、破線で示す初期位置にある可動部材１４の干渉部１４ａと干渉して側壁１３ｃへ押し付けられる一方、側壁１３ｃに当接して移動中のメダルから押圧されて可動部材１４は付勢部材１６の付勢に抗して回動する。同図のように正規メダルが通過する場合、可動部材１４は実線で示す位置まで回動しセンサ１８がＯＮになる。このとき、ＣＰＵ３０４は電磁ソレノイド２１をＯＮにする。これにより、フラップ２２が通路開放位置に移動する。
【００８９】
メダルの移動が進行すると、センサ１７がＯＮとなり、その後、干渉部１４ａからメダルが離れることで、付勢部材１６の付勢により可動部材１４が初期位置に戻り始め、センサ１８はＯＦＦとなる。更に、メダルの移動が進行すると、メダルは通路部３１に案内されることになり、センサ１７もＯＦＦとなる。このとき、ＣＰＵ３０４は電磁ソレノイド２１をＯＦＦにする。これにより、フラップ２２は排除位置に移動する。
【００９０】
正規メダルが通過した場合、センサ１８、１７のＯＮ・ＯＦＦシーケンスは、センサ１８がＯＮ→センサ１７がＯＮ→センサ１８がＯＦＦ→センサ１７がＯＦＦとなる。センサ１８がＯＮになったことを条件として、或いは、センサ１８に続いてセンサ１７がＯＮになったことを条件として、正規メダルの投入が一枚受け付けられたものとすることもできるが、不正行為を防止する観点から、このＯＮ・ＯＦＦシーケンス全てが成立したことを条件として、正規メダルの投入が一枚受け付けられたものとすることができる。また、センサ１８がＯＮになった後、このＯＮ・ＯＦＦシーケンスが一定時間成立しなかった場合は、不正行為の可能性があるため、エラー処理（警報発動、遊技停止等）を行うことができる。
【００９１】
図９（ａ）は非正規メダル通過時のメダルセレクタ３３６の動作説明図、（ｂ）は非正規メダル通過時のセンサ１８、１７及び電磁ソレノイド２１の駆動信号のタイミングチャートである。導入口１０からメダルセレクタ３３６へ導入されたメダルは、破線で示す初期位置にある可動部材１４の干渉部１４ａと干渉して側壁１３ｃへ押し付けられる一方、側壁１３ｃに当接して移動中のメダルから押圧されて可動部材１４は付勢部材１６の付勢に抗して回動する。
【００９２】
しかし、同図のように非正規メダルが通過する場合、可動部材１４はその被検出部１４ｂがセンサ１８の発光素子１８ｂと受光素子１８ｃとの間まで到達する位置まで回動しない。このため、センサ１８はＯＦＦのままとなる。メダルの移動が進行すると、センサ１７がＯＮとなり、その後、干渉部１４ａからメダルが離れることで、付勢部材１６の付勢により可動部材１４が初期位置に戻り始める。更に、メダルの移動が進行すると、フラップ２２が排除位置のままであるため、メダルは通路部３２へ案内され、センサ１７もＯＦＦとなる。
【００９３】
このようにして、本実施形態では、非正規メダルが投入されると、センサ１８にその通過が検出されず、選別ユニット２０により通路部３２に振り分けられ、正規メダルが投入されると、センサ１８にその通過が検出されて選別ユニット２０により通路部３１に振り分けられ、正規メダルと非正規メダルとの選別を行うことができる。
【００９４】
なお、正規メダルが検出された場合に、選別ユニット２０を図７（ａ）の状態として、メダルＭを開口部１１ａから外部に排出するようにしてもよいが、この場合は、通路３１がメダルをメダル払出口１５５へ、通路３２がメダルをメダル払出装置へ、導くようにする。
【００９５】
＜第２実施形態＞
上記第１実施形態ではメダル通路を上下方向に構成したので、メダルが略自由落下してほとんど転動せずにメダル通路を通過するため、汚れの付着を低減できるが、従来のようにメダル通路を斜め横に構成し、メダルがメダル通路を転動する形式のメダルセレクタにも、上記の正規メダルの検出機構は適用可能である。
【００９６】
図１０は本実施形態に係るメダルセレクタ３３６Ａの説明図であり、メダルがメダル通路を転動する形式のメダルセレクタにも、上記の正規メダルの検出機構を適用した例を示す。図１０において、上記第１実施形態のメダルセレクタ３３６の各構成に相当する機能を有する構成については、同じ符号を付している。
【００９７】
通路壁形成部材１３は左右方向斜めに延設されており、メダルの周面が当接して転動する、メダル通路の底壁１３ｃを形成している。ガイド部材１は、底壁１３ｃから正規メダルの直径に応じた距離だけ離間した位置でメダルの上部を案内してその傾倒を防止する部材であり、非正規メダルは案内されずにメダル通路から脱落する。メダル通路から脱落したメダルはメダル払出口１５５から遊技者に返還される。フラッパ２２はメダル投入の受付期間中は通路外に位置し、メダル投入の非受付期間中は通路内に進入して、メダル通路からメダルを脱落させる。
【００９８】
可動部材１４は、上記第１実施形態の可動部材１４と同様の構成であり、干渉部１４ａと、被検出部１４ｂとを備えて軸部材１５に回動自在に支持されている。干渉部１４ａは底壁１３ｃに対向して配置されており、メダル通過時の可動部材１４の回動量はメダルの直径に応じたものとなる。
【００９９】
センサ１８は、上記第１実施形態のセンサ１８と同様の構成であり、正規メダルが通過した時に、回動してきた可動部材１４の被検出部１４ｂをセンサ１８が検出する一方、非正規メダルが通過した時には回動してきた可動部材１４の被検出部１４ｂがセンサ１８で検出されない。
【０１００】
付勢部材１６は、上記第１実施形態の付勢部材１６と同様の構成であり、干渉部１４ａがメダル通路に進入する方向（同図の時計周り）に可動部材１４を常時付勢する。
【０１０１】
メダル検出センサ１７は、本実施形態の場合、第１実施形態のセンサ１７（反射型）と異なり、センサ１８と同様の構成の光学式センサであって、そのスリットを通過するメダルを検出する。
【０１０２】
係る構成からなるメダルセレクタ３３６Ａでは、メダル投入の受付期間中に非正規メダルが投入された場合、基本的には、ガイド部材１に非正規メダルが案内されないことでメダル通路から脱落し、正規メダルと選別される。可動部材１４はフラッパ２２よりも下流側にあるため、センサ１８の検出結果でフラッパ２２を制御して非正規メダルを排除するわけではない。
【０１０３】
しかし、非正規メダルが暴れながら移動し、ガイド部材１を通過してしまった場合、可動部材１４の干渉部１４ａと干渉して底壁１３ｃへ押圧されるので、暴れが抑制される。そして、非正規メダルが通過する場合、可動部材１４の回動が不足してセンサ１８により被検出部１４ｂが検出されない。
【０１０４】
よって、正規メダルがメダルセレクタ３３６Ａを通過した場合は、センサ１８、１７のＯＮ・ＯＦＦシーケンスは、センサ１８がＯＮ→センサ１７がＯＮ→センサ１８がＯＦＦ→センサ１７がＯＦＦとなる一方、非正規メダルがメダルセレクタ３３６Ａを通過した場合は、センサ１８、１７のＯＮ・ＯＦＦシーケンスは、センサ１８の検出結果は変化せず、センサ１７がＯＮ→センサ１７がＯＦＦとなるだけである。よって、センサ１８、１７のＯＮ・ＯＦＦシーケンスで正規メダルと非正規メダルの通過を区別し、正規メダルのメダル投入のみを受け付けることができ、不正行為の可能性があるため、エラー処理（警報発動、遊技停止等）を行うことができる。
【０１０５】
＜第３実施形態＞
上記第１実施形態では、可動部材１４を一つとしたが２つ設けてもよい。可動部材を２つとすることで、一つの場合よりも、メダル通過時の可動部材の変位量を小さくでき、メダル詰まりの防止効果がある。
【０１０６】
図１１は本実施形態に係るメダルセレクタ３３６Ｂの説明図であり、可動部材１４を２つ設けた例である。メダルセレクタ３３６Ｂは、正規メダルの検出部２と、正規メダルと非正規メダルの選別部３と、に大別される。選別部３は、メダルがメダル通路を転動する形式の従来のメダルセレクタと同様の構成であり、図１１において、第２実施形態のメダルセレクタ３３６Ａと同じ構成については、同じ符号を付して説明を割愛する。なお、選別部３として、上記第１実施形態の上下方向のメダル通路及び選別ユニット２０の構成を採用することも勿論可能である。
【０１０７】
以下、検出部２について図１２乃至図１６を参照して説明する。図１２は検出部２の分解斜視図、図１３（ａ）は検出部２を正面側から見た斜視図、図１３（ｂ）は検出部２を背面側から見た斜視図、図１４（ａ）は可動部材１４Ａ及び１４Ｂ等の斜視図、図１４（ｂ）は干渉部１４Ａａ及び１４Ｂａの各傾斜面ＳＦの説明図である。
【０１０８】
図１２に示すように、検出部２は、ベース部材１９と、ベース部材１９の正面に着脱自在に装着され、ベース部材１９の正面を覆うカバー部材２ａと、を備える。なお、カバー部材２ａは、図１２以外の各図において図示を省略されている。
【０１０９】
ベース部材１９は、その表側に、メダル通路を形成する上下方向に延びた凹部１９ａを有する。この凹部１９ａの底面とカバー部材２ａの背面とにより、メダル通路の奥行き方向（メダルの厚み方向）の壁が形成され、上下方向のメダル通路が形成される。
【０１１０】
ベース部材１９には、凹部１９ａの途中において開口した取付部１９ｂを備える。取付部１９ｂには可動部材１４Ａ及び１４Ｂが取り付けられる。また、取付部１９ｂに連設されてベース部材１９には取付部１９ｃが形成されている。取付部１９ｃにはセンサ１８が取り付けられる。
【０１１１】
可動部材１４Ａａは、干渉部１４Ａａと、被検出部１４Ａｂと、枠状に開口した可動部材１４Ｂの取付部１４ｃと、取付部１９ｂの縁部に係合する係合部１４Ａｄと、を備える。可動部材１４Ａは、係合部１４Ａｄが取付部１９ｂの縁部に係合して縁部に案内されることで、凹部１９ａにより形成されるメダル通路の通路方向（本実施形態の場合上下方向）と直交する方向（本実施形態の場合左右方向）にスライド自在に取付部１９ｂに装着される。被検出部１４Ａｂは、本実施形態の場合、可動部材１４Ａをその厚み方向に貫通する孔部である。
【０１１２】
可動部材１４Ｂａは、干渉部１４Ａａと同形状の干渉部１４Ｂａと、被検出部１４Ｂｂと、可動部材１４Ａの取付部１４Ａｃに装着される装着部１４Ｂｃと、を備える。可動部材１４Ｂは、装着部１４Ｂｃが可動部材１４Ａの取付部１４Ａｃに装着されて案内されることで、凹部１９ａにより形成されるメダル通路の通路方向（本実施形態の場合上下方向）と直交する方向（本実施形態の場合左右方向）にスライド自在に可動部材１４Ａに装着される。被検出部１４Ｂｂは、本実施形態の場合、可動部材１４Ｂをその厚み方向に貫通する孔部である。
【０１１３】
しかして、干渉部１４Ａａと干渉部１４Ｂａとは、メダル通路において通路方向に直交する方向に離間するように配置されており、干渉部１４Ａａと干渉部１４Ｂａとの間をメダルがこれらを押しのけながら通過する構成となっている。
【０１１４】
付勢部材１６Ａは、干渉部１４Ａａがメダル通路に進入する方向（正面視で右方向。逆方向を退避方向という。）に可動部材１４Ａを常時付勢する。付勢部材１６Ｂは、干渉部１４Ｂａがメダル通路に進入する方向（正面視で左方向。逆方向を退避方向という。）に可動部材１４Ｂを常時付勢する。
【０１１５】
付勢部材１６Ａ及び１６Ｂは本実施形態の場合、コイルスプリングであり、付勢部材１６Ａは取付部１９ｂにおいて、可動部材１４Ａの端部と取付部１９ｂの内周壁との間に装填され、付勢部材１６Ｂは取付部１９ｂにおいて、可動部材１４Ｂの端部と取付部１９ｂの内周壁との間に装填されている。なお、付勢部材１６Ａ及び１６Ｂは、可動部材１４Ａ、１４Ｂを常時付勢できるものであればよく、コイルスプリングの他、ゴム等の各種の弾性部材を用いることができる。
【０１１６】
本実施形態の場合、付勢部材１６Ａ及び１６Ｂは、付勢部材１６Ａの方が付勢力が強い（コイルスプリングの反発力が強い）設定となっている。このため、干渉部１４Ａａと干渉部１４Ｂａとの間をメダルがこれらを押しのけながら通過する際、先に可動部材１４Ｂが退避方向に変位することになる。一方、ベース部材１９には、可動部材１４Ｂの退避方向の変位量を規制する規制部１９ｄが形成されており、可動部材１４Ｂの退避方向の変位は、この規制部１９ｄで規定される位置で完了する。このため、干渉部１４Ａａと干渉部１４Ｂａとの間をメダルがこれらを押しのけながら通過する際、先に可動部材１４Ｂが退避方向に変位して規制部１９ｄで規定される位置に到達した後、可動部材１４Ａが退避方向に移動してメダルの通過を許容することになる。
【０１１７】
なお、メダルの周面が当接する干渉部１４Ａａ及び１４Ｂａの各表面は、図１４（ｂ）に示すように傾斜面ＳＦとなっている。これらの傾斜面ＳＦは、干渉部１４Ａａ及び１４Ｂａ間の中心線（メダル通路の幅方向の半分の位置）に対して対称な形状の傾斜面であって、メダル通路の下流側に向かって干渉部１４Ａａ及び１４Ｂａ間の離間距離を狭める傾斜面となっている。このため、干渉部１４Ａａ及び１４Ｂａに対してメダルが当接する際、その当接角度が同じとなり、メダルの挙動を即座に安定させることができる。
【０１１８】
次に、センサ１８は上記第１実施形態のセンサ１８と同様の光学式のセンサである。センサ１８は、取付部１９ｃに取り付けられ、そのスリットには、可動部材１４Ａの被検出部１４Ａｂを含むその周囲の板状部分と、可動部材１４Ｂの被検出部１４Ｂｂを含むその周囲の板状部分とが重ねられて挿入される。
【０１１９】
被検出部１４Ａｂと、被検出部１４Ｂｂとは、干渉部１４Ａａと干渉部１４Ｂａとが正規メダルの直径分離間した場合に、互いに重なるように配置されており、干渉部１４Ａａと干渉部１４Ｂａとが正規メダルの直径未満離間している場合には互いに重ならない。
【０１２０】
被検出部１４Ａｂと、被検出部１４Ｂｂとはそれぞれ孔部であるため、両者が重なると可動部材１４Ａ及び可動部材１４Ｂをその厚み方向に貫通する孔となって、光が通過可能となる。この状態のときに、センサ１８がＯＮとなることで、正規メダルが干渉部１４Ａａと干渉部１４Ｂａとの間を通過したことがされることになる。更に言うと、センサ１８は、可動部材１４Ｂが規制部１９ｄで規定される位置に到達し、かつ、干渉部１４Ａａと干渉部１４Ｂａとが正規メダルの直径分離間して被検出部１４Ａｂと、被検出部１４Ｂｂとが重なったときに、センサ１８の発光素子がこれらの孔を通過して受光素子に到達するように配置されている。本実施形態ではこうして正規メダルの通過のみが検出されるようにしている。また、本実施形態では、可動部材１４Ａ及び１４Ｂのそれぞれの位置を個別に検出することなく、一つのセンサ１８で双方の位置を検出可能としたので、センサ数を削減できる。
【０１２１】
次に、図１５及び図１６を参照して、検出部２による正規メダルの検出動作について説明する。図１５（ａ）は干渉部１４Ａａと干渉部１４Ｂａとの間を正規メダルＭが通過する直前の初期状態を示す。この初期状態では、干渉部１４Ａａと干渉部１４Ｂａとの離間距離が最も近接しており、正規メダルＭの直径未満であり、干渉部１４Ａａと干渉部１４Ｂａとはメダル通路の幅方向の中心線に対して略対称となる位置に位置している。被検出部１４Ａｂと、被検出部１４Ｂｂとは重なっていない。
【０１２２】
図１５（ｂ）は正規メダルＭの周面が干渉部１４Ａａと干渉部１４Ｂａとに当接し始めた状態を示す。正規メダルＭが干渉部１４Ａａと干渉部１４Ｂａとに弱く挟まれた状態となることで、メダルＭが暴れながらメダル通路を移動してきたとしても、暴れを抑えることができる。このとき、上記のとおり付勢部材１６Ａ及び１６Ｂの付勢力の違いから、可動部材１４Ｂが先に付勢部材１６Ｂの付勢に抗して退避方向に変位し、規制部１９ｄに干渉部１４Ｂａが当たることで変位が停止する。
【０１２３】
可動部材１４Ｂはこれ以上退避方向に変位しないので、図１６（ａ）に示すように、付勢部材１６Ａの付勢に抗して可動部材１４Ａが退避方向に変位する。図１６（ｂ）に示すように、干渉部１４Ａａと干渉部１４Ｂａとが正規メダルＭの直径分離間すると、正規メダルＭがこれらの間を通過する。このとき、正規メダルＭがメダル通路の幅方向の中央に位置するように、検出部２の各構成部品が配置されることで、正規メダルＭをセンタリングすることができ、選別部３へ安定した姿勢でメダルを導入することができる。
【０１２４】
図１６（ｂ）の状態では、被検出部１４Ａｂと被検出部１４Ｂｂとが重ってセンサ１８がＯＮとなる。これにより正規メダルが通過したことが検出される。この検出結果は、例えば、フラッパ２２の制御（正規メダルの通過は許容する。）や、メダルの投入受付の判定（センサ１８がＯＮとなってから所定時間内にセンサ１７がＯＮとなった場合に受け付ける。）に用いることができる。
【０１２５】
干渉部１４Ａａと干渉部１４Ｂａとの間をメダルが通過する構成としたことにより、可動部材１４Ａ及び１４Ｂの変位は、通過するメダルの直径に応じたものとなる。つまり、非正規メダルが投入された場合、その直径以上に干渉部１４Ａａと干渉部１４Ｂａとを離間させることができない。このため、可動部材１４Ｂが規制部１９ｄで規制される位置まで変位しないうちに通過してしまうか、或いは、変位したとしても、干渉部１４Ａａと干渉部１４Ｂａとが正規メダルの直径分離間するまで可動部材１４Ａを変位させることはできない。したがって、被検出部１４Ａｂと被検出部１４Ｂｂとが重なることがなく、センサ１８がＯＮとならない。この結果、非正規メダルと区別してスロットマシン１００に投入された正規メダルをより確実に検出することができる。
【０１２６】
なお、一般にスロットマシンの正規メダルとしては直径が２５ｍｍのものの他、３０ｍｍのものも存在するが、３０ｍｍのメダルに対応させる場合には、被検出部１４Ａｂと被検出部１４Ｂｂの位置を変更することで対応できる。
【０１２７】
また、本実施形態では、センサ１８が被検出部１４Ａｂと被検出部１４Ｂｂとが重なることを検出するようにしたが、可動部材１４Ａの特定の部位を被検出部とし、これが所定の位置に到達することを検出するようにしてもよい。
【０１２８】
図１７（ａ）及び（ｂ）はセンサ１８の他の配置例の説明図である。同図の例では、可動部材１４Ｂが被検出部１４Ｂｂを有さず、可動部材１４Ａは被検出部１４Ａｂが孔部ではなく、干渉部１４Ａａの退避方向の後部に設けられた被検出片として形成されている。
【０１２９】
図１７（ａ）は、図１６（ａ）の段階に相当する状態で、正規メダルの通過により可動部材１４Ｂが規制部１９ｄで規制される位置に変位し、可動部材１４Ａの変位が始まっている状態を示す。このとき、被検出部１４Ａｂはセンサ１８では検出されないようにセンサ１８が配置されている。
【０１３０】
図１７（ｂ）は、図１６（ｂ）の段階に相当する状態で、干渉部１４Ａａと干渉部１４Ｂａとが正規メダルの直径分離間したところまで可動部材１４Ａが変位した状態を示す。このとき、被検出部１４Ａｂはセンサ１８で検出されるようセンサ１８が配置されている。
【０１３１】
＜第４実施形態＞
可動部材を２つ設けた別の例について説明する。図１８は本実施形態に係るメダルセレクタ３３６Ｃの説明図であり、可動部材を２つ設けた例である。メダルセレクタ３３６Ｃは、正規メダルの検出部２’と、正規メダルと非正規メダルの選別部３と、に大別される。
【０１３２】
選別部３は、メダルがメダル通路を転動する形式の従来のメダルセレクタと同様の構成であって、上記第３実施形態と同じ構成である。なお、選別部３として、上記第１実施形態の上下方向のメダル通路及び選別ユニット２０の構成を採用することも勿論可能である。
【０１３３】
以下、検出部２’について図１９乃至図２２を参照して説明する。図１９は検出部２’の分解斜視図、図２０（ａ）は検出部２’を正面側から見た斜視図、図２０（ｂ）は検出部２’を背面側から見た斜視図である。
【０１３４】
図１９に示すように、検出部２’は、ベース部材４０と、ベース部材４０の正面に着脱自在に装着され、ベース部材４０の正面を覆うカバー部材５０と、を備える。なお、カバー部材５０は、図１９以外の各図において図示を省略されている。
【０１３５】
ベース部材４０は、その表側に、メダル通路を形成する上下方向に延びた部分を有する十字型の凹部４１ａを有する。この凹部４１ａの底面とカバー部材５０の背面とにより、メダル通路の奥行き方向（メダルの厚み方向）の壁が形成され、上下方向のメダル通路が形成される。
【０１３６】
ベース部材４０には、凹部４１において更に凹んだ凹部４２を備える。この凹部４２は主として後述するリンク機構等の収容スペースとして機能する。凹部４２にはベース部材４０を厚み方向に貫通する、上下方向に延びるスリット４２ａが形成されている。
【０１３７】
凹部４１には、また、一対の軸部材４４、一対の規制部４３が、凹部４２により形成されるメダル通路の幅方向の中心線に対して左右対称となる位置に配設されている。
【０１３８】
可動部材１４Ｒ及び１４Ｌは互いに対称となる形状を有している。可動部材１４Ｒ及び１４Ｌは、それぞれ、干渉部１４Ｒａ及び１４Ｌａと、セパレート部１４Ｒｂ及び１４Ｌｂと、軸孔１４Ｒｃ及び１４Ｌｃと、リンク取付部１４Ｒｄ及び１４Ｌｄと、を備える。軸孔１４Ｒｃ及び１４Ｌｃには軸部材４４、４４がそれぞれ挿入され、可動部材１４Ｒ及び１４Ｌは軸部材４４、４４を回動中心として軸部材４４、４４に回動自在に支持されて変位する。なお、可動部材１４Ｒ及び１４Ｌの回動量は、規制部４３、４３が内側側面に当接することにより規制される。
【０１３９】
干渉部１４Ｒａと干渉部１４Ｌａとは、メダル通路において通路方向に直交する方向に離間するように配置されており、干渉部１４Ｒａと干渉部１４Ｌａとの間をメダルがこれらを押しのけながら通過する構成となっている。また、セパレート部１４Ｒｂとセパレート部１４Ｌｂも、メダル通路において通路方向に直交する方向に離間するように配置されている。
【０１４０】
なお、上記第１実施形態と同様に、干渉部１４Ｒａと干渉部１４Ｌａの各表面は、干渉部１４Ｒａと干渉部１４Ｌａとの間の中心線に対して対称な形状の傾斜面であって、メダル通路の下流側に向かって干渉部１４Ｒａ及び干渉部１４Ｌａ間の離間距離を狭める傾斜面となっている。このため、干渉部１４Ｒａ及び干渉部１４Ｌａに対してメダルが当接する際、その当接角度が同じとなり、メダルの挙動を即座に安定させることができる。
【０１４１】
干渉部１４Ｒａ及び１４Ｌａは、可動部材１４Ｒ及び１４Ｌの回動中心である軸部材４４、４４よりも下流側に位置する一方、セパレート部１４Ｒｂ及び１４Ｌｂは軸部材４４、４４よりも上流側に位置している。このため、可動部材１４Ｒ及び１４Ｌが、干渉部１４Ｒａ及び１４Ｌａが互いに近接する方向に回動する場合はセパレート部１４Ｒｂ及び１４Ｌｂは互いに離間し、可動部材１４Ｒ及び１４Ｌが、干渉部１４Ｒａ及び１４Ｌａが互いに離間する方向に回動する場合はセパレート部１４Ｒｂ及び１４Ｌｂは互いに近接することになる。
【０１４２】
リンク取付部１４Ｒｄ及び１４Ｌｄには、それぞれ、リンク部材５０、５０の一方端部が回動自在に取り付けられる。リンク部材５０、５０の他方端部は互いに重ねられてリンク部材５１に回動自在に取り付けられる。リンク部材５０、５０は同じ形状の部材である。リンク部材５１はスリット４２ａに案内されて上下方向に移動し、その背部には被検出部５１ａを有している。スリット４２ａは、凹部４１が形成するメダル通路の幅方向の中心線上において通路方向に延設されており、しかも、軸部材４４、４４が上記のとおり、メダル通路の幅方向の中心線に対して左右対称となる位置に配設されている。このため、リンク部材５０、５０、５１は、可動部材１４Ｒ及び１４Ｌを連結し、それらの回動を同期させるリンク機構を形成している。
【０１４３】
スリット４２ａ内には、付勢部材１６が配設されている。付勢部材１６はその下端部がブラケット５２に支持され、その上端部がリンク部材５１の底部に当接して設けられており、リンク部材５１を常時上方向に付勢する。本実施形態の場合、付勢部材１６はコイルスプリングであるが、リンク部材５１を常時付勢できるものであればよく、コイルスプリングの他、ゴム等の各種の弾性部材を用いることができる。
【０１４４】
本実施形態の場合、リンク部材５１が上方へ付勢されると、可動部材１４Ｒ及び１４Ｌは、これらの干渉部１４Ｒａ及び１４Ｌａが互いに近接する方向、つまり、メダル通路に進入する方向に回動するように付勢される。逆に、干渉部１４Ｒａ及び１４Ｌａが互いに離間する方向（退避方向）に外力を受けると、リンク部材５１が付勢部材１６の付勢に抗して降下することになる。
【０１４５】
次に、センサ１８は上記第１実施形態のセンサ１８と同様の光学式のセンサである。センサ１８は、ブラケット５３を介してベース部材４０の背面側に取り付けられ、そのスリットには、リンク部材５１の被検出部５１ａが進入可能となっている。
【０１４６】
次に、図２１及び図２２を参照して、検出部２’による正規メダルの検出動作について説明する。ここでは正規メダルが連続投入された場合を想定する。
【０１４７】
図２１（ａ）は干渉部１４Ｒａと干渉部１４Ｌａとの間を１枚目の正規メダルＭが通過する直前の初期状態を示す。この初期状態では、干渉部１４Ｒａと干渉部１４Ｌａとの離間距離が最も近接しており、正規メダルの直径未満であり、干渉部１４Ｒａと干渉部１４Ｌａとはメダル通路の幅方向の中心線に対して略対称となる位置に位置している。
【０１４８】
また、この初期状態では、リンク部材５１が最も上方に位置しており、その被検出部５１ａがセンサ１８のスリットに進入して検出されている。なお、本実施形態の場合、センサ１８から被検出部５１ａが検出されなくなった場合に、正規メダルの通過が検出されたことになる。
【０１４９】
図２１（ｂ）は正規メダルＭ１の周面が、干渉部１４Ｒａと干渉部１４Ｌａとの間に到達し、これらを押しのけて通過している途中の状態を示す。正規メダルが干渉部１４Ｒａと干渉部１４Ｌａとに弱く挟まれた状態となることで、メダルが暴れながらメダル通路を移動してきたとしても、暴れを抑えることができる。
【０１５０】
干渉部１４Ｒａと干渉部１４Ｌａとが離間することでリンク部材５１は降下しており、センサ１８により被検出部５１ａが検出されなくなる。これにより、正規メダルが通過したと判断することができる。この検出結果は、例えば、フラッパ２２の制御（正規メダルの通過は許容する。）や、メダルの投入受付の判定（センサ１８がＯＮとなってから所定時間内にセンサ１７がＯＮとなった場合に受け付ける。）に用いることができる。
【０１５１】
リンク部材５１は降下量は、干渉部１４Ｒａと干渉部１４Ｌａとの離間距離に、つまり、通過メダルの直径に応じたものとなる。このため、非正規メダルが通過した場合には、リンク部材５１の降下量が足りず、センサ１８により被検出部５１ａが検出されたままとなるようにすることで、正規メダルの通過のみを検出することができる。これは、センサ１８の上下方向の取付位置の調整で実現できる。
【０１５２】
本実施形態では、可動部材１４Ｒ及び１４Ｌのそれぞれの位置を個別に検出することなく、リンク部材５１の位置を検出することで、一つのセンサ１８で双方の位置を検出可能としたので、センサ数を削減できる。
【０１５３】
図２１（ｂ）に示すように、干渉部１４Ｒａと干渉部１４Ｌａとが離間すると、セパレート部１４Ｒｂ及び１４Ｌｂは互いに近接する。干渉部１４Ｒａと干渉部１４Ｌａとの間を正規メダルが通過したときの、セパレート部１４Ｒｂ及び１４Ｌｂの離間距離が正規メダルの直径未満となるようにセパレート部１４Ｒｂ及び１４Ｌｂを形成することで、図２１（ｂ）に示すように、後続の正規メダルＭ２が先行するメダルＭ１と衝突することを防止できる。しかも、可動部材１４Ｒ及び１４Ｌは、同期的に回動するので、干渉部１４Ｒａと干渉部１４Ｌａとによって、通過メダルはメダル通路の幅方向の中央にセンタリングされる。このため、検出部２’から一枚ずつ選別部３へメダルを安定して導入することができる。
【０１５４】
図２２は、先行するメダルＭ１の通過後、セパレート部１４Ｒｂ及び１４Ｌｂで留められていた後続の正規メダルＭ２が通過する動作を示す。図２２（ａ）に示すように、メダルＭ１の通過が完了すると、図２２（ｂ）に示すように、付勢部材１６の付勢によりリンク部材５１が上昇し、セパレート部１４Ｒｂ及び１４Ｌｂが離間するように可動部材１４Ｒ及び１４Ｌが回動する。
【０１５５】
図２２（ｃ）に示すように正規メダルＭ２が、干渉部１４Ｒａと干渉部１４Ｌａとの間に至ると、図２２（ｄ）に示すように正規メダルＭ２が干渉部１４Ｒａと干渉部１４Ｌａとを離間させるように可動部材１４Ｒ及び１４Ｌが回動し、図２１（ｂ）と同様の状態となって、正規メダルＭ２の通過が検出される。なお、メダルＭ２が非正規メダルである場合はその通過が検出されないことはいうまでもない。
【０１５６】
なお、一般にスロットマシンの正規メダルとしては直径が２５ｍｍのものの他、３０ｍｍのものも存在するが、３０ｍｍのメダルに対応させる場合には、センサ１８の位置を調整することで対応することができる。本実施形態の場合、センサ１８を支持するブラケット５３のベース部材４０に対する取付位置が上下に調整可能（ネジと長孔による調整構造）となっており、取付位置の調整で３０ｍｍのメダルに対応できる。
【０１５７】
その際、図２３に示すように、２５ｍｍの場合と、３０ｍｍの場合とで、それぞれ基準となる取付位置を示す指標部ＳＣを設けることで調整作業を容易化できる。なお、図２３（ａ）は３０ｍｍの指標に合わせてブラケット５３をベース部材４０にを取り付けた場合、図２３（ｂ）は２５ｍｍの指標に合わせてブラケット５３をベース部材４０にを取り付けた場合を示す。
【０１５８】
＜その他＞
メダル投入口１４１近傍には、不正行為防止の観点から、メダル通路を外部から視認できることが好ましい。図２４はメダル投入口１４１を形成する部材に、メダル通路が見える窓部ＷＤを設けたものである。窓部ＷＤは例えば透明の部材で構成される。メダル通路に不正器具が挿入されていると、この窓部ＷＤから見えるので不正行為の抑制となる。
【図１】
2011254910.tif 000003
【図２】
2011254910.tif 000004
【図３】
2011254910.tif 000005
【図４】
2011254910.tif 000006
【図５】
2011254910.tif 000007
【図６】
2011254910.tif 000008
【図７】
2011254910.tif 000009
【図８】
2011254910.tif 000010
【図９】
2011254910.tif 000011
【図１０】
2011254910.tif 000012
【図１１】
2011254910.tif 000013
【図１２】
2011254910.tif 000014
【図１３】
2011254910.tif 000015
【図１４】
2011254910.tif 000016
【図１５】
2011254910.tif 000017
【図１６】
2011254910.tif 000018
【図１７】
2011254910.tif 000019
【図１８】
2011254910.tif 000020
【図１９】
2011254910.tif 000021
【図２０】
2011254910.tif 000022
【図２１】
2011254910.tif 000023
【図２２】
2011254910.tif 000024
【図２３】
2011254910.tif 000025
【図２４】
2011254910.tif 000026